(57)【特許請求の範囲】
【請求項１】
有隔膜電解槽（２）と、有隔膜電解槽（２）内の隔膜（４５）にて隔てられた第一電極室（２ａ）と第二電極室（２ｂ）のうちの第二電極室（２ｂ）内に塩化ナトリウムを供給する塩水供給槽（４）と、電気分解に供される浴槽水（３１）を浴槽（１）から有隔膜電解槽（２）に供給し、有隔膜電解槽（２）にて電気分解により生成するアルカリ性イオン水と酸性イオン水のうち一方のイオン水を第一電極室（２ａ）から浴槽（１）に供給すると共に他方のイオン水を第二電極室（２ｂ）から浴槽（１）外に排出する浴槽水の流路と、この浴槽水の流路に水流を発生させる循環ポンプ（５）とを具備し、循環ポンプ（５）は電解導入路（１２）、電解槽路（３０）を経由し、第一電極室路（１４）及び第二電極室路（１５）に分岐して第一電極室（２ａ）と第二電極室（２ｂ）にそれぞれ接続され、塩水供給槽（４）は電解導入路（１２）から分岐した塩水槽路（１３）に接続され更に塩供給路（１７）を経て第二電極室路（１５）に接続されていることを特徴とする浴槽水の水質改変装置。
【請求項２】
開閉弁を開閉することにより有隔膜電解槽（２）における電気分解の進行中に、有隔膜電解槽（２）にて電気分解により生成するアルカリ性イオン水と酸性イオン水のうち一方のイオン水を第一電極室（２ａ）から連続的に浴槽（１）に供給し、有隔膜電解槽（２）における電気分解の終了後に他方のイオン水を第二電極室（２ｂ）から浴槽（１）外に排出する浴槽水の流路を具備し、前記開閉弁として、塩水槽路（１３）の流通を開閉する開閉弁と、第二電極室路（１５）における塩供給路（１７）の接続位置よりも上流側の流通を開閉する開閉弁と、イオン水を第二電極室（２ｂ）から浴槽（１）外に排出する流路を開閉する開閉弁とを備えることを特徴とする請求項１に記載の浴槽水の水質改変装置。
【請求項３】
有隔膜電解槽（２）と、有隔膜電解槽（２）内の隔膜（４５）にて隔てられた第一電極室（２ａ）と第二電極室（２ｂ）の両方の電極室内に塩化ナトリウムを供給する塩水供給槽（４）と、開閉弁を開閉することにより電気分解に供される浴槽水（３１）を浴槽（１）から有隔膜電解槽（２）に供給し、有隔膜電解槽（２）における電気分解終了後に、有隔膜電解槽（２）にて電気分解により生成するアルカリ性イオン水と酸性イオン水のうちの一方のイオン水を第一電極室（２ａ）から浴槽（１）に供給すると共に他方のイオン水を第二電極室（２ｂ）から浴槽（１）外に排出する浴槽水の流路と、この浴槽水の流路に水流を発生させる循環ポンプ（５）とを具備し、循環ポンプ（５）は電解導入路（１２）、電解槽路（３０）を経由し、第一電極室路（１４）及び第二電極室路（１５）に分岐して第一電極室（２ａ）と第二電極室（２ｂ）にそれぞれ接続され、塩水供給槽（４）は電解導入路（１２）から分岐した塩水槽路（１３）に接続され更に塩供給路（１７）を経て電解槽路（３０）に接続されるものであり、且つ前記開閉弁として塩水槽路（１３）の流通を開閉する開閉弁と、塩供給路（１７）との接続位置よりも上流側における電解槽路（３０）の流通を開閉する開閉弁とを備えることを特徴とする浴槽水の水質改変装置。
【請求項４】
開閉弁を開閉することにより有隔膜電解槽（２）にて電気分解により生成するアルカリ性イオン水と酸性イオン水のうちのアルカリ性イオン水を浴槽（１）に供給すると共に酸性イオン水を浴槽（１）外に排出する動作と、電気分解により生成するアルカリ性イオン水と酸性イオン水の両方を浴槽（１）に供給する動作とを一回ずつ交互に行うか、あるいは一方の動作を複数回行うのに対して他方の動作を一回行うものであり、イオン水を第一電極室（２ａ）から浴槽（１）に供給する流路とイオン水を第二電極室（２ｂ）から浴槽（１）外に排出する流路とがイオン水バイパス路（２４）にて接続されており、且つ前記開閉弁として、イオン水を第二電極室（２ｂ）から浴槽（１）外に排出する流路を開閉する開閉弁と、イオン水バイパス路（２４）の流通を開閉する開閉弁とを備えることを特徴とする請求項１乃至３のいずれかに記載の浴槽水の水質改変装置。
【請求項５】
表面が白金−イリジウム混合物にて形成された白金−イリジウム混合物電極（３ａ）を有する第一電極室（２ａ）及び表面が白金にて形成された白金電極（３ｂ）を有する第二電極室（２ｂ）が設けられた有隔膜電解槽（２）と、開閉弁を開閉することにより白金−イリジウム混合物電極（３ａ）を陰極、白金電極（３ａ）を陽極として電気分解を行ったときに有隔膜電解槽（１）にて生成されるアルカリ性イオン水を浴槽（１）に供給すると共に酸性イオン水を浴槽（１）外に排出し、白金電極（３ｂ）を陰極、白金−イリジウム混合物電極（３ａ）を陽極として電気分解を行ったときに有隔膜電解槽（２）にて生成されるアルカリ性イオン水と酸性イオン水の両方を浴槽（１）に供給する浴槽水の流路を具備し、イオン水を第一電極室（２ａ）から浴槽（１）に供給する流路とイオン水を第二電極室（２ｂ）から浴槽（１）外に排出する流路とがイオン水バイパス路（２４）にて接続されており、且つ前記開閉弁として、イオン水を第二電極室（２ｂ）から浴槽（１）外に排出する流路を開閉する開閉弁と、イオン水バイパス路（２４）の流通を開閉する開閉弁とを備えることを特徴とする請求項１乃至４のいずれかに記載の浴槽水の水質改変装置。
【請求項６】
表面が白金−イリジウム混合物にて形成された白金−イリジウム混合物電極（３ａ）を有する第一電極室（２ａ）及び表面が白金にて形成された白金電極（３ｂ）を有する第二電極室（２ｂ）が設けられた有隔膜電解槽（２）と、開閉弁を開閉することにより白金−イリジウム混合物電極（３ａ）を陰極、白金電極（３ｂ）を陽極として電気分解を行ったときに有隔膜電解槽（２）にて生成されるアルカリ性イオン水を浴槽（１）に供給すると共に酸性イオン水を浴槽（１）外に排出し、白金電極（３ｂ）を陰極、白金−イリジウム混合物電極（３ａ）を陽極として電気分解を行ったときに有隔膜電解槽（２）にて生成されるアルカリ性イオン水を浴槽（１）外に排出すると共に酸性イオン水を浴槽（１）に供給する浴槽水の流路を具備し、イオン水を第一電極室（２ａ）から浴槽（１）に供給する流路とイオン水を第二電極室（２ｂ）から浴槽（１）外に排出する流路とがイオン水バイパス路（２４）にて接続され、且つ前記開閉弁として、イオン水を第二電極室（２ｂ）から浴槽（１）外に排出する流路を開閉する開閉弁と、イオン水バイパス路（２４）の流通を開閉する開閉弁とを備えることを特徴とする請求項１乃至５のいずれかに記載の浴槽水の水質改変装置。
【請求項７】
電解導入路（１２）の途中から分岐する浴槽水バイパス路（２０）がイオン水を第二電極室（２ｂ）から浴槽（１）外に排出する流路に接続され、且つ開閉弁として浴槽水バイパス路（２０）の流通を開閉するものを備え、前記開閉弁が開状態の場合に有隔膜電解槽（２）にて生成されるアルカリ性イオン水と酸性イオン水のうち一方のイオン水を第一電極室（２ａ）から浴槽（１）に供給すると共に第二電極室（２ｂ）にて生成される他方のイオン水を浴槽水にて希釈した後に浴槽（１）外に排出する浴槽水の流路を具備して成ることを特徴とする請求項１乃至６のいずれかに記載の浴槽水の水質改変装置。
【請求項８】
浴槽水（３１）を浄化する濾過槽（７）と、濾過槽（７）の上流側が電解導入路（１２）の途中から分岐する濾過流路（２７）にて接続され、濾過槽（７）の下流側が濾過水路（２５）にてイオン水を第一電極室（２ａ）から浴槽（１）に供給する流路に接続され、濾過槽（７）の洗浄水排出口（７ｂ）が洗浄水排出路（２３）にてイオン水を第二電極室（２ｂ）から浴槽（１）外に排出する流路に接続され、且つ開閉弁として洗浄水排出路（２３）の流通を開閉するものを備え、前記開閉弁が開状態の場合に濾過槽（７）に濾過槽（７）の洗浄用水として浴槽水（３１）を濾過流路（２７）から供給し、有隔膜電解槽（２）にて生成されるアルカリ性イオン水と酸性イオン水のうち一方のイオン水を第一電極室（２ａ）から浴槽（１）に供給すると共に第二電極室（２ｂ）にて生成される他方のイオン水を洗浄水排出口（７ｂ）から排出される濾過槽（７）の洗浄後の浴槽水（３１）にて希釈した後に浴槽（１）外に排出する浴槽水の流路を具備して成ることを特徴とする請求項１乃至７のいずれかに記載の浴槽水の改変装置。
【請求項９】
浴槽水（３１）を浄化する濾過槽（７）を具備し、濾過槽（７）の上流側が電解導入路（１２）の途中から分岐する濾過流路（２７）にて接続され、濾過槽（７）の下流側が濾過水路（２５）にてイオン水を第一電極室（２ａ）から浴槽（１）に供給する流路に接続されていることを特徴とする請求項１乃至８のいずれかに記載の浴槽水の水質改変装置。
【請求項１０】
濾過膜（４６）として中空糸膜を備える濾過槽（７）を具備すると共に、イオン水を第二電極室（２ｂ）から浴槽（１）外に排出する浴槽水の流路が、濾過流路（２７）に接続された後に濾過槽（７）の洗浄水排出口（７ｂ）から浴槽（１）外に導出され、濾過槽（７）に濾過槽（７）の洗浄用水として有隔膜電解槽（２）の第二電極室（２ｂ）にて生成された酸性イオン水を供給する浴槽水の流路を具備して成ることを特徴とする請求項９に記載の浴槽水の水質改変装置。
【発明の詳細な説明】
【０００１】
【発明の属する技術分野】
本発明は、浴槽水のｐＨを調整する浴槽水の水質改変装置に関するものである。
【０００２】
【従来の技術】
浴槽内の温水を電気分解して循環させ、酸性イオン水の有する温水を殺菌する効果やアストリンゼン効果、あるいはアルカリ性イオン水が有するトリートメント効果を享受するための装置は、従来種々のものが提案されており、例えば特開平４−３１２４６１号公報に開示されているものがある。この公報に開示されている装置においては、浴槽の温水を加熱保温する保温手段と、水を電気分解して酸性イオン水とアルカリ性イオン水とを生成する電気分解手段とを備えており、酸性イオン水とアルカリ性イオン水とを適宜浴槽内に還流できるようにしていた。
【０００３】
【発明が解決しようとする課題】
しかしこのような従来技術においては、下記のような問題があった。
（１）  電気伝導度の低い浴槽水を電気分解しているため、電気分解に必要な電流を流すためには電極間に高い電圧を印可しなければならず、電力コストが高いものであった。
（２）  浴槽に送り込まれないイオン水は、浴槽外に連続的に排出されるため、排水量が多くなり、浴槽水の減少が激しいものであった。
（３）  アルカリ性イオン水を浴槽に供給している間は、アルカリ性イオン水には塩素が含まれないため、浴槽の湯を殺菌することができず、衛生上問題があった。
（４）  酸性イオン水を排水する場合、この酸性イオン水中の有害で有臭の塩素ガスが気化し、雰囲気中に放出されるという問題があった。
【０００４】
本発明は上記の点に鑑みてなされたものであり、上記課題を解決することができる浴槽水の水質改変装置を提供することを目的とするものである。
【０００５】
【課題を解決するための手段】
本発明の請求項１に係る浴槽水の水質改変装置は、有隔膜電解槽２と、有隔膜電解槽２内の隔膜４５にて隔てられた第一電極室２ａと第二電極室２ｂのうちの第二電極室２ｂ内に塩化ナトリウムを供給する塩水供給槽４と、電気分解に供される浴槽水３１を浴槽１から有隔膜電解槽２に供給し、有隔膜電解槽２にて電気分解により生成するアルカリ性イオン水と酸性イオン水のうち一方のイオン水を第一電極室２ａから浴槽１に供給すると共に他方のイオン水を第二電極室２ｂから浴槽１外に排出する浴槽水の流路と、この浴槽水の流路に水流を発生させる循環ポンプ５とを具備し、循環ポンプ５は電解導入路１２、電解槽路３０を経由し、第一電極室路１４及び第二電極室路１５に分岐して第一電極室２ａと第二電極室２ｂにそれぞれ接続され、塩水供給槽４は電解導入路１２から分岐した塩水槽路１３に接続され更に塩供給路１７を経て第二電極室路１５に接続されていることを特徴とするものである。
【０００６】
また本発明の請求項２に係る浴槽水の水質改変装置は、請求項１の構成に加えて、開閉弁を開閉することにより有隔膜電解槽２における電気分解の進行中に、有隔膜電解槽２にて電気分解により生成するアルカリ性イオン水と酸性イオン水のうち一方のイオン水を第一電極室２ａから連続的に浴槽１に供給し、有隔膜電解槽２における電気分解の終了後に他方のイオン水を第二電極室２ｂから浴槽１外に排出する浴槽水の流路を具備し、前記開閉弁として、塩水槽路１３の流通を開閉する開閉弁と、第二電極室路１５における塩供給路１７の接続位置よりも上流側の流通を開閉する開閉弁と、イオン水を第二電極室２ｂから浴槽１外に排出する流路を開閉する開閉弁とを備えることを特徴とするものである。
【０００７】
また本発明の請求項３に係る浴槽水の水質改変装置は、有隔膜電解槽２と、有隔膜電解槽２内の隔膜４５にて隔てられた第一電極室２ａと第二電極室２ｂの両方の電極室内に塩化ナトリウムを供給する塩水供給槽４と、開閉弁を開閉することにより電気分解に供される浴槽水３１を浴槽１から有隔膜電解槽２に供給し、有隔膜電解槽２における電気分解終了後に、有隔膜電解槽２にて電気分解により生成するアルカリ性イオン水と酸性イオン水のうちの一方のイオン水を第一電極室２ａから浴槽１に供給すると共に他方のイオン水を第二電極室２ｂから浴槽１外に排出する浴槽水の流路と、この浴槽水の流路に水流を発生させる循環ポンプ５とを具備し、循環ポンプ５は電解導入路１２、電解槽路３０を経由し、第一電極室路１４及び第二電極室路１５に分岐して第一電極室２ａと第二電極室２ｂにそれぞれ接続され、塩水供給槽４は電解導入路１２から分岐した塩水槽路１３に接続され更に塩供給路１７を経て電解槽路３０に接続されるものであり、且つ前記開閉弁として塩水槽路１３の流通を開閉する開閉弁と、塩供給路１７との接続位置よりも上流側における電解槽路３０の流通を開閉する開閉弁とを備えることを特徴とするものである。
【０００８】
また本発明の請求項４に係る浴槽水の水質改変装置は、請求項１乃至３のいずれかの構成に加えて、開閉弁を開閉することにより有隔膜電解槽２にて電気分解により生成するアルカリ性イオン水と酸性イオン水のうちのアルカリ性イオン水を浴槽１に供給すると共に酸性イオン水を浴槽１外に排出する動作と、電気分解により生成するアルカリ性イオン水と酸性イオン水の両方を浴槽１に供給する動作とを一回ずつ交互に行うか、あるいは一方の動作を複数回行うのに対して他方の動作を一回行うものであり、イオン水を第一電極室２ａから浴槽１に供給する流路とイオン水を第二電極室２ｂから浴槽１外に排出する流路とがイオン水バイパス路２４にて接続されており、且つ前記開閉弁として、イオン水を第二電極室２ｂから浴槽１外に排出する流路を開閉する開閉弁と、イオン水バイパス路２４の流通を開閉する開閉弁とを備えることを特徴とするものである。
【０００９】
また本発明の請求項５に係る浴槽水の水質改変装置は、請求項１乃至４のいずれかの構成に加えて、表面が白金−イリジウム混合物にて形成された白金−イリジウム混合物電極３ａを有する第一電極室２ａ及び表面が白金にて形成された白金電極３ｂを有する第二電極室２ｂが設けられた有隔膜電解槽２と、開閉弁を開閉することにより白金−イリジウム混合物電極３ａを陰極、白金電極３ａを陽極として電気分解を行ったときに有隔膜電解槽１にて生成されるアルカリ性イオン水を浴槽１に供給すると共に酸性イオン水を浴槽１外に排出し、白金電極３ｂを陰極、白金−イリジウム混合物電極３ａを陽極として電気分解を行ったときに有隔膜電解槽２にて生成されるアルカリ性イオン水と酸性イオン水の両方を浴槽１に供給する浴槽水の流路を具備し、イオン水を第一電極室２ａから浴槽１に供給する流路とイオン水を第二電極室２ｂから浴槽１外に排出する流路とがイオン水バイパス路２４にて接続されており、且つ前記開閉弁として、イオン水を第二電極室２ｂから浴槽１外に排出する流路を開閉する開閉弁と、イオン水バイパス路２４の流通を開閉する開閉弁とを備えることを特徴とするものである。
【００１０】
また本発明の請求項６に係る浴槽水の水質改変装置は、請求項１乃至５のいずれかの構成に加えて、表面が白金−イリジウム混合物にて形成された白金−イリジウム混合物電極３ａを有する第一電極室２ａ及び表面が白金にて形成された白金電極３ｂを有する第二電極室２ｂが設けられた有隔膜電解槽２と、開閉弁を開閉することにより白金−イリジウム混合物電極３ａを陰極、白金電極３ｂを陽極として電気分解を行ったときに有隔膜電解槽２にて生成されるアルカリ性イオン水を浴槽１に供給すると共に酸性イオン水を浴槽１外に排出し、白金電極３ｂを陰極、白金−イリジウム混合物電極３ａを陽極として電気分解を行ったときに有隔膜電解槽２にて生成されるアルカリ性イオン水を浴槽１外に排出すると共に酸性イオン水を浴槽１に供給する浴槽水の流路を具備し、イオン水を第一電極室２ａから浴槽１に供給する流路とイオン水を第二電極室２ｂから浴槽１外に排出する流路とがイオン水バイパス路２４にて接続され、且つ前記開閉弁として、イオン水を第二電極室２ｂから浴槽１外に排出する流路を開閉する開閉弁と、イオン水バイパス路２４の流通を開閉する開閉弁とを備えることを特徴とするものである。
【００１１】
また本発明の請求項７に係る水質改変装置は、請求項１乃至６のいずれかの構成に加えて、電解導入路１２の途中から分岐する浴槽水バイパス路２０がイオン水を第二電極室２ｂから浴槽１外に排出する流路に接続され、且つ開閉弁として浴槽水バイパス路２０の流通を開閉するものを備え、前記開閉弁が開状態の場合に有隔膜電解槽２にて生成されるアルカリ性イオン水と酸性イオン水のうち一方のイオン水を第一電極室２ａから浴槽１に供給すると共に第二電極室２ｂにて生成される他方のイオン水を浴槽水にて希釈した後に浴槽１外に排出する浴槽水の流路を具備して成ることを特徴とするものである。
【００１２】
また本発明の請求項８に係る浴槽水の水質改変装置は、請求項１乃至７のいずれかの構成に加えて、浴槽水３１を浄化する濾過槽７と、濾過槽７の上流側が電解導入路１２の途中から分岐する濾過流路２７にて接続され、濾過槽７の下流側が濾過水路２５にてイオン水を第一電極室２ａから浴槽１に供給する流路に接続され、濾過槽７の洗浄水排出口７ｂが洗浄水排出路２３にてイオン水を第二電極室２ｂから浴槽１外に排出する流路に接続され、且つ開閉弁として洗浄水排出路２３の流通を開閉するものを備え、前記開閉弁が開状態の場合に濾過槽７に濾過槽７の洗浄用水として浴槽水３１を濾過流路２７から供給し、有隔膜電解槽２にて生成されるアルカリ性イオン水と酸性イオン水のうち一方のイオン水を第一電極室２ａから浴槽１に供給すると共に第二電極室２ｂにて生成される他方のイオン水を洗浄水排出口７ｂから排出される濾過槽７の洗浄後の浴槽水３１にて希釈した後に浴槽１外に排出する浴槽水の流路を具備して成ることを特徴とするものである。
【００１３】
また本発明の請求項９に係る浴槽水の水質改変装置は、請求項１乃至８のいずれかの構成に加えて、浴槽水３１を浄化する濾過槽７を具備し、濾過槽７の上流側が電解導入路１２の途中から分岐する濾過流路２７にて接続され、濾過槽７の下流側が濾過水路２５にてイオン水を第一電極室２ａから浴槽１に供給する流路に接続されていることを特徴とするものである。
【００１４】
また本発明の請求項１０に係る水質改変装置は、請求項９の構成に加えて、濾過膜４６として中空糸膜を備える濾過槽７を具備すると共に、イオン水を第二電極室２ｂから浴槽１外に排出する浴槽水の流路が、濾過流路２７に接続された後に濾過槽７の洗浄水排出口７ｂから浴槽１外に導出され、濾過槽７に濾過槽７の洗浄用水として有隔膜電解槽２の第二電極室２ｂにて生成された酸性イオン水を供給する浴槽水の流路を具備して成ることを特徴とするものである。
【００１５】
【発明の実施の形態】
以下、本発明の実施の形態を説明する。
【００１６】
図１に本発明に係る浴槽水の水質改変装置の一例を示す。この浴槽水の水質改変装置には、後述する浴槽水３１の流路に水流を発生させて流路中の浴槽水を移送する循環ポンプ５、有隔膜電解槽２及び内部に塩化ナトリウムが収容されている塩水供給槽４が配設されている。ここで有隔膜電解槽２は内部に隔膜４５で隔てられた第一電極室２ａと第二電極室２ｂが設けられ、この第一電極室２ａと第二電極室２ｂにはそれぞれ不溶性電極板３が配設されている。第一電極室２ａに配設されている不溶性電極板３は、基材がチタン、表面の電解面が白金−イリジウム混合物で形成された白金−イリジウム混合電極３ａである。また第二電極室２ｂに配設されている不溶性電極板３は、基材がチタン、表面の電解面が白金で形成された白金電極３ｂである。また塩水供給槽４は、二重円筒構造を有し、内側の筒体である内筒４ａに塩化ナトリウムを収納するようになっている。この内筒４ａは上面が開口すると共に、側面が格子状に開口し、この開口部をメッシュにて覆っている。一方、外側の筒体である外筒４ｂは、蓋体４ｃが設けられており、蓋体４ｃを開くことにより、内部に内筒４ａを収容し、あるいは脱離できる。塩水供給槽４に接続される流路のうち、塩水供給槽４に浴槽水３１等を供給する流路はこの外筒４ｂ内に、外筒４ｂの下部に設けられた流入口４ｄにて接続され、流路から外筒４ｂ内に浴槽水３１等が供給されると、内筒４ａ内の塩化ナトリウムがこの浴槽水３１等に溶解して塩水が生成される。塩水供給槽４にて生成された塩水を導出する流路はこの外筒４ｂに、外筒４ｂの上部に設けられた流出口４ｅにて接続される。
【００１７】
また更に浴槽水３１が通る流路、及びこれらの流路の流通を開閉する、電磁弁等からなる開閉弁が配設されている。ここでいう浴槽水３１には、浴槽水３１に塩化ナトリウムを溶解して得られる塩水、並びにこの塩水や浴槽水３１を電気分解して得られる酸性イオン水やアルカリ性イオン水が含まれる。
【００１８】
浴槽水３１が通る流路のうち、流入路１１は上流側が浴槽１中の浴槽水３１に配設されて、その上流側の端部が流入口４３として開口しており、下流側が循環ポンプ５に接続されている。電解導入路１２は上流側が循環ポンプ５に接続され、下流側において塩水槽路１３と電解槽路３０に分岐している。塩水槽路１３の下流側は塩水供給槽４の流入口４ｄに接続されている。電解槽路３０の下流側は第一電極室路１４と第二電極室路１５に分岐され、第一電極室路１４の下流側は有隔膜電解槽２の第一電極室２ａに、第二電極室路１５の下流側は有隔膜電解槽２の第二電極室２ｂにそれぞれ接続されている。第一電極室導出路２２の上流側は有隔膜電解槽２の第一電極室２ａに接続され、下流側は流出路１６の上流側に接続されている。流出路１６の下流側は浴槽１内の浴槽水３１に接続され、下流側の端部は流出口４４として開口されている。また塩供給路１７は上流側が塩水供給槽４の流出口４ｅに接続され、下流側は第二電極室路１５の流路の途中に、第二電極室路１５と合流するように接続されている。第二電極室導出路２１の上流側は有隔膜電解槽２の第二電極室２ｂに接続され、下流側は排水導入路１９の上流側に接続されている。排水導入路１９の下流側は排水路１８の上流側に接続されている。また浴槽水バイパス路２０の上流側は電解導入路１２の配管の途中に、電解導入路１２から分岐するように接続され、下流側は排水路１８の上流側に接続されている。排水路１８の下流側は浴槽１外に導出されている。
【００１９】
また開閉弁のうち、第１弁３２は塩水槽路１３に、第２弁３３は第二電極室路１５における塩供給路１７の接続位置よりも上流側に、第３弁３４は排水導入路１９に、第４弁３５は浴槽水バイパス路２０にそれぞれ設けられ、各流路の流通を、この開閉弁の配設位置において開閉する。
【００２０】
ここで、開閉弁の設置方法は上記のものに限るものではなく、例えば三方弁を用いることができる。
【００２１】
この浴槽水の水質改変装置の動作を図２〜４を示して説明する。ここでこれらの図面中で白抜きで示されている開閉弁は開状態の弁を、黒く塗りつぶして示されている開閉弁は閉状態の弁をそれぞれ示し、また流路中の矢印は各流路における浴槽水３１の流れの向きを示す。
【００２２】
浴槽水３１をアルカリ性に水質改変する場合、まず図２に示すように、第１弁３２、第２弁３３、第３弁３４、第４弁３５が閉状態となり、この状態で循環ポンプ５が作動する。このとき循環ポンプ５の働きにより浴槽水３１は流入路１１、電解導入路１２、電解槽路３０、第一電極室路１４、第一電極室導出路２２、流出路１６からなる循環流路を循環し、またそれに伴って有隔膜電解槽２の第一電極室２ａに浴槽水３１が供給され、第一電極室２ａ中の余剰の浴槽水３１は第一電極室導出路２２、流出路１６を経由して浴槽１に返送される。
【００２３】
次に図３に示すように、第１弁３２、第３弁３４が開状態、第２弁３３、第４弁３５が閉状態となり、この状態で引き続き循環ポンプ５が作動する。このとき、図２に示す循環流路の水流に加えて、電解導入路１２から塩水槽路１３を通って塩水供給槽４に導入され、塩水供給槽４から塩供給路１７を通って有隔膜電解槽２の第二電極室２ｂに導入され、第二電極室２ｂから第二電極室導出路２１、排水導入路１９を経由して排水路１８から浴槽１外に排出される水流が形成される。このとき塩水供給槽４内の塩化ナトリウムが、塩水槽路１３から塩水供給槽４に供給された浴槽水３１に溶解して塩水が生成し、この塩水が塩供給路１７を通って第二電極室２ｂに供給され、第二電極室２ｂ内の余剰の塩水は第二電極室導出路２１、排水導入路１９、排水路１８を経由して浴槽１外に排出される。
【００２４】
次に第１弁３２、第２弁３３、第３弁３４、第４弁３５が閉状態となって、再び図２に示すような状態となり、この状態で白金−イリジウム混合電極３ａが陰極、白金電極３ｂが陽極となるように、この電極間に電圧が印可され、有隔膜電解槽２において電気分解により第一電極室２ａにアルカリ性イオン水が、第二電極室２ｂに酸性イオン水が生成する。このとき有隔膜電解槽２において電気分解される浴槽水３１には、塩化ナトリウムが添加されているので、浴槽水３１の導電性が向上され、電気分解に必要な電力が低減されているものであり、また、有隔膜電解槽２内の浴槽水３１中の塩化物イオン及びナトリウムイオンの濃度が向上されて、電気分解により陰極側で水酸化ナトリウム濃度の高いアルカリ性イオン水を生成すると共に、陽極側で塩酸濃度の高い酸性イオン水を生成するものである。ここで第一電極室２ａには浴槽水が連続的に供給されると共に、余剰の浴槽水が浴槽１へ返送されているので、第一電極室２ａにてアルカリ性イオン水となった浴槽水が浴槽１内に連続的に供給されることとなる。一方、第二電極室２ｂ内には、酸性イオン水が保持される。第二電極室２ｂに設けられた白金電極３ｂは酸素発生効率が高いため、この酸性イオン水中では塩素の発生が抑制されている。
【００２５】
次に電気分解の終了後、図４に示すように、第２弁３３、第３弁３４、第４弁３５が開状態、第１弁３２が閉状態となり、この状態で引き続き循環ポンプ５が作動する。このとき、循環流路の水流に加えて、電解槽路３０から第二電極室路１５を通って第二電極室２ｂに導入され、更に第二電極室２ｂから第二電極室導出路２１、排水導入路１９、排水路１８を通って浴槽１外に排出される水流と、電解導入路１２から分岐して浴槽水バイパス路２０を経由し、排水路１８に合流する水流が形成される。このとき第二電極室２ｂ内の酸性イオン水は、第二電極室路１５を経由して第二電極室２ｂ内に導入される浴槽水３１に押し出されて、第二電極室導出路２１、排水導入路１９、排水路１８を経由して浴槽１外に排出される。このとき、浴槽水バイパス路２０を経由して排水路１８に、アルカリ性に水質改変された浴槽水３１が供給されているので、酸性イオン水はこの浴槽水３１により中和されると共に希釈された状態で排出される。この排水中の塩素濃度は低く抑えられており、有害で有臭の塩素ガスの発生が抑制され、また排出される酸性イオン水は、一旦第二電極室２ｂ内に保持された後、中和及び希釈するために必要なだけの浴槽水３１を混合して排出することができ、装置からの排水量が抑制され、浴槽水３１の減少が抑制されている。
【００２６】
次に、浴槽水３１のアルカリ性への水質改変を停止する場合は循環ポンプが停止される。また浴槽水３１を更に強いアルカリ性に水質改変する場合は、上記の動作が繰り返し行われる。
【００２７】
また浴槽水３１を酸性に水質改変する場合、流路の切り替えはアルカリ性に水質改変する場合と同様であるが、有隔膜電解槽２における電圧の印可の向きが逆になる。すなわち、まず図２に示すように、第１弁３２、第２弁３３、第３弁３４、第４弁３５が閉状態となり、この状態で循環ポンプ５が作動する。このとき循環ポンプ５の働きにより浴槽水３１は流入路１１、電解導入路１２、電解槽路３０、第一電極室路１４、第一電極室導出路２２、流出路１６からなる循環流路を循環し、またそれに伴って有隔膜電解槽２の第一電極室２ａに浴槽水３１が供給され、第一電極室２ａ中の余剰の浴槽水３１は第一電極室導出路２２、流出路１６を経由して浴槽１に返送される。
【００２８】
次に図３に示すように、第１弁３２、第３弁３４が開状態、第２弁３３、第４弁３５が閉状態となり、この状態で引き続き循環ポンプ５が作動する。このとき、図２に示す循環流路の水流に加えて、電解導入路１２から塩水槽路１３を通って塩水供給槽４に導入され、塩水供給槽４から塩供給路１７を通って有隔膜電解槽２の第二電極室２ｂに導入され、第二電極室２ｂから第二電極室導出路２１、排水導入路１９を経由して排水路１８から浴槽１外に排出される水流が形成される。このとき塩水供給槽４内の塩化ナトリウムが、塩水槽路１３から塩水供給槽４に供給された浴槽水３１に溶解して塩水が生成し、この塩水が塩供給路１７を通って第二電極室２ｂに供給され、第二電極室２ｂ内の余剰の塩水は第二電極室導出路２１、排水導入路１９、排水路１８を経由して浴槽１外に排出される。
【００２９】
次に第１弁３２、第２弁３３、第３弁３４、第４弁３５が閉状態となって、再び図２に示すような状態となり、この状態で白金−イリジウム混合電極３ａが陽極、白金電極３ｂが陰極となるように、この電極間に電圧が印可され、有隔膜電解槽２において電気分解により第一電極室２ａに酸性イオン水が、第二電極室２ｂにアルカリ性イオン水が生成する。このとき第一電極室２ａには浴槽水が連続的に供給されると共に、余剰の浴槽水３１が浴槽１へ返送されているので、第一電極室２ａにて酸性イオン水となった浴槽水３１が浴槽１内に連続的に供給されることとなる。一方、第二電極室２ｂ内には、アルカリ性イオン水が保持される。ここで第一電極室２ａに設けられた白金−イリジウム混合電極３ａは塩素発生効率が高いため、この酸性イオン水中では塩素が効率よく発生し、殺菌効果の高い酸性イオン水が生成される。
【００３０】
次に電気分解の終了後、図４に示すように、第２弁３３、第３弁３４、第４弁３５が開状態、第１弁３２が閉状態となり、この状態で引き続き循環ポンプ５が作動する。このとき、循環流路の水流に加えて、電解槽路３０から第二電極室路１５を通って第二電極室２ｂに導入され、更に第二電極室２ｂから第二電極室導出路２１、排水導入路１９、排水路１８を通って浴槽１外に排出される水流と、電解導入路１２から分岐して浴槽水バイパス路２０を経由し、排水路１８に合流する水流が形成される。このとき第二電極室２ｂ内のアルカリ性イオン水は、第二電極室路１５を経由して第二電極室２ｂ内に導入される浴槽水３１に押し出されて、第二電極室導出路２１、排水導入路１９、排水路１８を経由して浴槽１外に排出される。このとき、浴槽水バイパス路２０を経由して排水路１８に、酸性に水質改変された浴槽水３１が供給されているので、アルカリ性イオン水はこの浴槽水３１により有る程度中和されると共に希釈された状態で排出される。ここで排出されるアルカリ性イオン水は、一旦第二電極室２ｂ内に保持された後、必要な分だけ中和、希釈されて排出されるものであり、浴槽１からの排水量が抑制され、浴槽水３１の減少が抑制されている。
【００３１】
次に、浴槽水３１の酸性への水質改変を停止する場合は循環ポンプが停止される。また浴槽水３１を更に強い酸性に水質改変する場合は、上記の動作が繰り返し行われる。
【００３２】
図５に本発明に係る浴槽水の水質改変装置の他例を示す。この浴槽水の水質改変装置には、図１と同様の循環ポンプ５、有隔膜電解槽２及び塩水供給槽４が配設されているほか、ヒータ６及び濾過槽７が配設されている。濾過槽７には、濾過槽７内を通る浴槽水３１を濾過する、中空糸膜からなる濾過膜４６が内装されている。この濾過膜４６は濾過槽７内を水流の上流側と下流側とに仕切るように配置されている。濾過槽７内の、濾過膜４６の上流側には、複数の吐水口１０を有するノズル９が設けられている。このノズル９は、モータ８の働きにより濾過膜４６の上流側の外周を回転するように構成され、この回転と同時に吐水口１０から水流を濾過膜４６の上流側の表面に吐出して濾過膜４６を上流側において洗浄できるようになっている。また濾過槽７に接続される流路のうち、濾過槽７内に浴槽水３１等を供給する流路は上記のノズル９に、濾過槽７内の濾過された浴槽水３１等を導出する流路は、濾過槽７の下流側の上部に設けられた濾過水排出口７ａにおいて、濾過膜４６の洗浄に使用された後の水を濾過槽７外に導出する流路は、濾過槽７の上流側の下部に設けられた洗浄水排出口７ｂにおいて、それぞれ接続される。
【００３３】
また更に浴槽水の水流が通る流路、及びこれらの流路の流通を開閉する、電磁弁等からなる開閉弁が配設されている。ここでいう浴槽水３１には、浴槽水３１に塩化ナトリウムを溶解して得られる塩水、並びにこの塩水や浴槽水３１を電気分解して得られる酸性イオン水やアルカリ性イオン水が含まれる。
【００３４】
浴槽水の流路のうち、流路流入路１１は下流側が浴槽１中の浴槽水３１に配設されて、その下流側の端部が流入口４３として開口しており、上流側が循環ポンプ５に接続されている。電解導入路１２は上流側が循環ポンプ５に接続され、下流側において塩水槽路１３と電解槽路３０に分岐している。塩水槽路１３の下流側は塩水供給槽４の流入口４ｄに接続されている。電解槽路３０の下流側は第一電極室路１４と第二電極室路１５に分岐され、第一電極室路１４の下流側は有隔膜電解槽２の第一電極室２ａに、第二電極室路１５の下流側は有隔膜電解槽２の第二電極室２ｂにそれぞれ接続されている。第一電極室導出路２２の上流側は有隔膜電解槽２の第一電極室２ａに接続され、下流側はイオン水路２６の上流側に接続され、イオン水路２６の下流側は流出路１６の上流側に接続されている。流出路１６の下流側は浴槽１内の浴槽水３１に接続され、下流側の端部は流出口４４として開口されている。この流出路１６にはヒータ６が配設されており、ヒータ６が作動している場合は流出路１６を通る水流はヒータ６にて加熱される。また塩供給路１７は上流側が塩水供給槽４の流出口４ｅに接続され、下流側は電解槽路３０の流路の途中に、電解槽路３０と合流するように接続されている。第二電極室導出路２１の上流側は有隔膜電解槽２の第二電極室２ｂに接続され、下流側は排水導入路１９の上流側に接続されている。排水導入路１９の下流側は排水路１８の上流側に接続されている。排水路１８の下流側は浴槽１外に導出されている。洗浄水排出路２３の上流側は濾過槽７の洗浄水排出口７ｂに接続され、下流側は排水路１８の上流側に、排水導入路１９と共に接続されている。またイオン水バイパス路２４は第二電極室導出路２１の下流側と第一電極室導出路２２の下流側とを接続している。
【００３５】
また開閉弁のうち、第１弁３２は塩水槽路１３に、第３弁３４は排水導入路１９に、第４弁３５は電解槽路３０に、第５弁３６はイオン水バイパス路２４に、第６弁３７は洗浄水排出路２３にそれぞれ設けられ、各流路の流通を、この開閉弁の配設位置において開閉する。
【００３６】
ここで、イオン水路２６の下流側は濾過槽７の上流側において濾過流路２７や流入路１１の途中に合流するように接続してもよく、浴槽１内に直接接続してもよい。
【００３７】
この浴槽水の水質改変装置の動作を図６〜１１を示して説明する。ここでこれらの図面中で白抜きで示されている開閉弁は開状態の弁を、黒く塗りつぶして示されている開閉弁は閉状態の弁をそれぞれ示し、また流路中の矢印は各流路における浴槽水３１の流れの向きを示す。
【００３８】
浴槽水３１を濾過槽７にて浄化する場合は、図６に示すように、第１弁３２、第３弁３４、第４弁３５、第５弁３６、第６弁３７が閉状態となり、この状態で循環ポンプ５が作動する。このとき循環ポンプ５の働きにより浴槽水３１は流入路１１、濾過流路２７、濾過水路２５、流出路１６で構成される循環流路を循環する。このとき濾過流路２７から濾過槽７に供給される浴槽水３１は、ノズル９の吐水口１０から濾過槽７の上流側に供給され、更に濾過膜４６を通過して濾過槽７の下流側に導入されるものであり、濾過槽７にて入浴等により浴槽水３１に混入した垢、埃、細菌等を濾過し、浴槽水３１が浄化されて清潔に保つことができるものである。またこのとき流出路１６を通過する浴槽水３１の温度が所定の設定温度よりも低い場合は、ヒータ６が作動して浴槽水３１が加熱される。
【００３９】
浴槽水３１をアルカリ性に水質改変する場合は、まず図７に示すように、第１弁３２、第５弁３６が開状態、第３弁３４、第４弁３５、第６弁３７が閉状態となり、この状態で循環ポンプ５が作動する。このとき循環ポンプ５の働きにより浴槽水３１は流入路１１、電解導入路１２、塩水槽路１３、塩供給路１７、電解槽路３０、第一電極室路１４、第二電極室路１５、第一電極室導出路２２、第二電極室導出路２１、イオン水バイパス路２４、イオン水路２６、流出路１６にて構成される循環流路と、流入路１１、濾過流路２７、濾過水路２５、流出路１６で構成される循環流路の、二系統の循環流路を循環する。流入路１１、濾過流路２７、濾過水路２５、流出路１６で構成される循環流路においては、図６の場合と同様に、濾過槽７において浴槽水３１の浄化が行われる。また塩水供給槽４内の塩化ナトリウムが、塩水槽路１３から塩水供給槽４に供給された浴槽水３１に溶解して塩水が生成し、この塩水は塩供給路１７、電解槽路３０を経由し、第一電極室路１４から有隔膜電解槽２の第一電極室２ａに供給されると共に第二電極室路１５から有隔膜電解槽２の第二電極室２ｂに供給され、第一電極室２ａ及び第二電極室２ｂ中の余剰の塩水は第一電極室導出路２２、第二電極室導出路２１、イオン水路２６、流出路１６を経由して浴槽１に返送される。
【００４０】
次に図８に示すように、第５弁３６が開状態、第１弁３２、第３弁３４、第４弁３５、第６弁３７が閉状態となり、この状態で引き続き循環ポンプ５が作動する。このとき流入路１１、濾過流路２７、濾過水路２５、流出路１６で構成される循環流路は維持されて、濾過槽７において浴槽水３１の浄化が引き続き行われる。この状態で白金−イリジウム混合電極３ａが陰極、白金電極３ｂが陽極となるように、この電極間に電圧が印可され、有隔膜電解槽２において電気分解により第一電極室２ａにアルカリ性イオン水が、第二電極室２ｂに酸性イオン水が生成する。ここで第二電極室２ｂに設けられた白金電極３ｂは酸素発生効率が高いため、この酸性イオン水中では塩素の発生が抑制されている。このように生成されたイオン水は有隔膜電解槽２内に保持される。
【００４１】
次に電気分解の終了後に、図９に示すように、第３弁３４、第４弁３５、第６弁３７が開状態、第１弁３２、第５弁３６が閉状態となり、この状態で引き続き循環ポンプ５が作動する。この状態でモータ８を作動させてノズル９を回転させる。このとき流入路１１、電解導入路１２、電解槽路３０を経由して、第一電極室路１４から第一電極室２ａ内に、第二電極室路１５から第二電極室２ｂ内に浴槽水３１が導入される水流が発生する。第一電極室２ａ内のアルカリ性イオン水は、浴槽水３１に押し出されて第一電極室導出路２２、イオン水路２６、流出路１６を経由して流出口４４から浴槽１内に供給されて、浴槽１内の浴槽水３１をアルカリ性に水質改変する。また第二電極室２ｂ内の酸性イオン水は、第二電極室導出路２１、排水導入路１９、排水路１８を経由して浴槽１外に排出される。一方、濾過流路２７を経由して濾過槽７に導入される浴槽水３１は、回転するノズル９の吐水口１０から濾過膜４６に向けて吹き付けられ、この水流により濾過膜４６の表面に付着した汚物がはぎ取られて濾過膜４６が洗浄され、この汚物を含む洗浄後の浴槽水３１は、水圧抵抗の高い濾過膜４６を透過せずに洗浄水排出口７ｂを水圧抵抗の低い洗浄水排出路２３を通過し、排水路１８にて酸性イオン水と混合されて、浴槽１外に排出される酸性イオン水を希釈する。このとき酸性イオン水中の塩素が濾過槽洗浄後の浴槽水中に含まれる垢、埃、細菌等の有機物や無機物と反応して分解され、排水からの有害、有臭の塩素ガスの気化を抑制される。
【００４２】
この場合、浴槽水３１をアルカリ性に水質改変する動作と浴槽水３１を浄化する動作が同時に行われるものである。また酸性イオン水は一旦第二電極室２ｂ内に保持された後、必要な分だけ中和、希釈されて排出されるものであり、酸性イオン水を排出する際の浴槽水３１の排出量が低減されているものであり、また酸性イオン水の希釈に、本来そのまま排出される濾過膜４６を洗浄後の浴槽水３１を用いているので、浴槽水３１の排出量が更に低減されている。
【００４３】
また浴槽水３１を殺菌する場合は、まず図７に示すように、第１弁３２、第５弁３６が開状態、第３弁３４、第４弁３５、第６弁３７が閉状態となり、この状態で循環ポンプ５が作動する。このとき循環ポンプ５の働きにより浴槽水３１は流入路１１、電解導入路１２、塩水槽路１３、塩供給路１７、電解槽路３０、第一電極室路１４、第二電極室路１５、第一電極室導出路２２、第二電極室導出路２１、イオン水バイパス路２４、イオン水路２６、流出路１６にて構成される循環流路と、流入路１１、濾過流路２７、濾過水路２５、流出路１６で構成される循環流路の、二系統の循環流路を循環する。流入路１１、濾過流路２７、濾過水路２５、流出路１６で構成される循環流路においては、図６の場合と同様に、濾過槽７において浴槽水３１の浄化が行われる。また塩水供給槽４内の塩化ナトリウムが、塩水槽路１３から塩水供給槽４に供給された浴槽水３１に溶解して塩水が生成し、この塩水は塩供給路１７、電解槽路３０を経由し、第一電極室路１４から有隔膜電解槽２の第一電極室２ａに供給されると共に第二電極室路１５から有隔膜電解槽２の第二電極室２ｂに供給され、第一電極室２ａ及び第二電極室２ｂ中の余剰の塩水は第一電極室導出路２２、第二電極室導出路２１、イオン水路２６、流出路１６を経由して浴槽１に返送される。
【００４４】
次に図８に示すように、第５弁３６が開状態、第１弁３２、第３弁３４、第４弁３５、第６弁３７が閉状態となり、この状態で引き続き循環ポンプ５が作動する。このとき流入路１１、濾過流路２７、濾過水路２５、流出路１６で構成される循環流路は維持されて、濾過槽７において浴槽水３１の浄化が引き続き行われる。この状態で白金−イリジウム混合電極３ａが陽極、白金電極３ｂが陰極となるように、この電極間に電圧が印可され、有隔膜電解槽２において電気分解により第一電極室２ａに酸性イオン水が、第二電極室２ｂにアルカリ性イオン水が生成する。ここで第一電極室２ａに設けられた白金−イリジウム混合電極３ａは塩素発生効率が高いため、この酸性イオン水中では塩素が効率良く発生される。このように生成されたイオン水は有隔膜電解槽２内に保持される。
【００４５】
次に電気分解の終了後に、図１０に示すように、第４弁３５、第５弁３６が開状態、第１弁３２、第３弁３４、第６弁３７が閉状態となり、この状態で引き続き循環ポンプ５が作動する。このとき流入路１１、濾過流路２７、濾過水路２５、流出路１６で構成される循環流路は維持されて、濾過槽７において浴槽水３１の浄化が引き続き行われる。またこのとき流入路１１、電解導入路１２、電解槽路３０を経由して、第一電極室路１４から第一電極室２ａ内に、第二電極室路１５から第二電極室２ｂ内に浴槽水３１が導入される水流が発生する。第一電極室２ａ内の酸性イオン水は浴槽水３１に押し出されて第一電極室導出路２２を経由してイオン水路２６に至り、また第二電極室２ｂ内のアルカリ性イオン水は、第二電極室導出路２１、イオン水バイパス路２４を経由してやはりイオン水路２６に至るものであり、イオン水路２６においてアルカリ性イオン水と酸性イオン水とが混合される。この混合水は中性又は弱アルカリ性のイオン水であり、また酸性イオン水が高濃度で塩素を含んでいたため、高い塩素濃度を有している。この混合水は、流出路１６において、濾過槽７において浄化された後の浴槽水３１と混合し、流出路１６を通って流出口４４から浴槽１内に供給され、混合水中の塩素にて浴槽１内の浴槽水３１が殺菌される。この場合、浴槽水３１の浄化と浴槽水３１の殺菌とが同時に行われる。
【００４６】
上記の浴槽水３１をアルカリ性に水質改変しながら濾過膜４６を洗浄する動作と、浴槽水３１を殺菌する動作は、一回ずつ交互に、あるいはどちらか一方の動作が複数回繰り返して行われると共に他方の動作が一回行われるものであり、この場合、浴槽水３１をアルカリ性に保ちながら、殺菌された衛生的な状態に保つことができ、しかも濾過膜４６が洗浄されて濾過膜４６の膜流量が保たれ、高い効率で濾過槽７による浴槽水３１の浄化が行われるものである。
【００４７】
また浴槽水３１を酸性に水質改変する場合、まず図７に示すように、第１弁３２、第５弁３６が開状態、第３弁３４、第４弁３５、第６弁３７が閉状態となり、この状態で循環ポンプ５が作動する。このとき循環ポンプ５の働きにより浴槽水３１は流入路１１、電解導入路１２、電解槽路３０、第一電極室路１４、第二電極室路１５、第一電極室導出路２２、第二電極室導出路２１、イオン水バイパス路２４、イオン水路２６、流出路１６にて構成される循環流路と、流入路１１、濾過流路２７、濾過水路２５、流出路１６で構成される循環流路の、二系統の循環流路を循環する。流入路１１、濾過流路２７、濾過水路２５、流出路１６で構成される循環流路においては、図６の場合と同様に、濾過槽７において浴槽水３１の浄化が行われる。また塩水供給槽４内の塩化ナトリウムが、塩水槽路１３から塩水供給槽４に供給された浴槽水３１に溶解して塩水が生成し、この塩水は塩供給路１７、電解槽路３０を経由し、第一電極室路１４から有隔膜電解槽２の第一電極室２ａに供給されると共に第二電極室路１５から有隔膜電解槽２の第二電極室２ｂに供給され、第一電極室２ａ及び第二電極室２ｂ中の余剰の塩水は第一電極室導出路２２、第二電極室導出路２１、イオン水路２６、流出路１６を経由して浴槽１に返送される。
【００４８】
次に図８に示すように、第５弁３６が開状態、第１弁３２、第３弁３４、第４弁３５、第６弁３７が閉状態となり、この状態で引き続き循環ポンプ５が作動する。このとき流入路１１、濾過流路２７、濾過水路２５、流出路１６で構成される循環流路は維持されて、濾過槽７において浴槽水３１の浄化が引き続き行われる。この状態で白金−イリジウム混合電極３ａが陽極、白金電極３ｂが陰極となるように、この電極間に電圧が印可され、有隔膜電解槽２において電気分解により第一電極室２ａに酸性イオン水が、第二電極室２ｂにアルカリ性イオン水が生成する。ここで第一電極室２ａに設けられた白金−イリジウム混合電極３ａは塩素発生効率が高いため、この酸性イオン水中では塩素が効率良く発生される。このように生成されたイオン水は有隔膜電解槽２内に保持される。
【００４９】
次に電気分解の終了後、図１１に示すように、第１弁３２、第５弁３６が開状態、第３弁３４、第４弁３５、第６弁３７が閉状態となり、この状態で引き続き循環ポンプ５が作動する。このとき流入路１１、濾過流路２７、濾過水路２５、流出路１６で構成される循環流路は維持されて、濾過槽７において浴槽水３１の浄化が引き続き行われる。またこのとき流入路１１、電解導入路１２、電解槽路３０を経由して、第一電極室路１４から第一電極室２ａ内に、第二電極室路１５から第二電極室２ｂ内に浴槽水３１が導入される水流が発生する。第一電極室２ａ内の酸性イオン水は、浴槽水３１に押し出されて第一電極室導出路２２、イオン水路２６、流出路１６を経由して流出口４４から浴槽１内に供給されて、浴槽１内の浴槽水３１を酸性に水質改変する。また第二電極室２ｂ内のアルカリ性イオン水は、第二電極室導出路２１、排水導入路１９、排水路１８を経由して浴槽１外に排出される。
【００５０】
またこのとき図９に示すように、第６弁３７を開状態とすると共に、この状態でモータ８を作動させてノズル９を回転させてもよい。この場合、濾過流路２７を経由して濾過槽７に導入される浴槽水３１は、回転するノズル９の吐水口１０から濾過膜４６に向けて吹き付けられ、この水流により濾過膜４６の表面に付着した汚物がはぎ取られ、この汚物を含む洗浄後の浴槽水３１は、水圧抵抗の高い濾過膜４６を透過せずに洗浄水排出口７ｂを水圧抵抗の低い洗浄水排出路２３を通過し、排水路１８にてアルカリ性イオン水と混合されて、浴槽１外に排出されるアルカリ性イオン水を希釈する。
【００５１】
上記の浴槽水の水質改変装置では、電気分解中においては、有隔膜電解槽２に浴槽水３１が供給されないため、有隔膜電解槽２に供給される浴槽水３１の量を低減して浴槽水３１中に含まれる不純物やカルシウムによる電極表面や隔膜４５の汚染を抑制することができる。
【００５２】
図１２に本発明に係る浴槽水の水質改変装置の更に他例を示す。この浴槽水の水質改変装置には、図５と同様の循環ポンプ５、有隔膜電解槽２、塩水供給槽濾過膜４６及び濾過槽７が配設されている。
【００５３】
また更に浴槽水の水流が通る流路、及びこれらの流路の流通を開閉する、電磁弁等からなる開閉弁が配設されている。ここでいう浴槽水３１には、浴槽水３１に塩化ナトリウムを溶解して得られる塩水、並びにこの塩水や浴槽水３１を電気分解して得られる酸性イオン水やアルカリ性イオン水が含まれる。
【００５４】
浴槽水３１が通る流路のうち、流入路１１は下流側が浴槽１中の浴槽水３１に配設されて、その下流側の端部が流入口４３として開口しており、上流側が循環ポンプ５に接続されている。電解導入路１２は上流側が循環ポンプ５に接続され、下流側において塩水槽路１３と電解槽路３０に分岐している。塩水槽路１３の下流側は塩水供給槽４の流入口４ｄに接続されている。電解槽路３０の下流側は第一電極室路１４と第二電極室路１５に分岐され、第一電極室路１４の下流側は有隔膜電解槽２の第一電極室２ａに、第二電極室路１５の下流側は有隔膜電解槽２の第二電極室２ｂにそれぞれ接続されている。第一電極室導出路２２の上流側は有隔膜電解槽２の第一電極室２ａに接続され、下流側はイオン水路２６の上流側に接続され、イオン水路２６の下流側は流出路１６の上流側に接続されている。流出路１６の下流側は浴槽１内の浴槽水３１に接続され、下流側の端部は流出口４４として開口されている。この流出路１６にはヒータ６が配設されており、ヒータ６が作動している場合は流出路１６を通る水流はヒータ６にて加熱される。また塩供給路１７は上流側が塩水供給槽４の流出口４ｅに接続され、下流側は第二電極室路１５の流路の途中に、第二電極室路１５と合流するように接続されている。第二電極室導出路２１の上流側は有隔膜電解槽２の第二電極室２ｂに接続され、下流側は洗浄イオン路２８の上流側に接続されている。洗浄イオン路２８の下流側は濾過流路２７の配管の途中に濾過流路２７と合流するように接続されている。洗浄水排出路２３の上流側は濾過槽７の洗浄水排出口７ｂに接続され、下流側は排水路１８の上流側に接続されている。浴槽水バイパス路２９の上流側は流入路１１の配管の途中に、流入路１１から分岐するように接続されており、下流側は排水路１８の上流側に、洗浄水排出路２３と共に接続されている。排水路１８の下流側は浴槽１外に導出されている。
【００５５】
また開閉弁のうち、第１弁３２は塩水槽路１３に、第２弁３３は第二電極室路１５の塩供給路１７との接続位置よりも上流側に、第５弁３６はイオン水バイパス路２４に、第７弁３８は第一電極室路１４に、第８弁３９は洗浄イオン路２８に、第９弁４０は濾過流路２７の洗浄イオン路２８との接続位置よりも上流側に、第１０弁４１は浴槽水バイパス路２９に、第１１弁４２は排水路１８にそれぞれ設けられ、各流路の流通を、この開閉弁の配設位置において開閉する。
【００５６】
ここでイオン水路２６の下流側は、浴槽１内に直接接続してもよい。
【００５７】
この浴槽水の水質改変装置の動作を図１３〜２１を示して説明する。ここでこれらの図面中で白抜きで示されている開閉弁は開状態の弁を、黒く塗りつぶして示されている開閉弁は閉状態の弁をそれぞれ示し、また流路中の矢印は各流路における浴槽水３１の流れの向きを示す。
【００５８】
浴槽水３１を濾過槽７にて浄化する場合は、図１３に示すように、第９弁４０が開状態、第１弁３２、第２弁３３、第５弁３６、第７弁３８、第８弁３９、第１０弁４１、第１１弁４２が閉状態となり、この状態で循環ポンプ５が作動する。このとき循環ポンプ５の働きにより浴槽水３１は流入路１１、濾過流路２７、濾過水路２５、流出路１６で構成される循環流路を循環する。このとき濾過流路２７から濾過槽７に供給される浴槽水３１は、ノズル９の吐水口１０から濾過槽７の上流側に供給され、更に濾過膜４６を通過して濾過槽７の下流側に導入されるものであり、濾過槽７にて入浴等により浴槽水３１に混入した垢、埃、細菌等を濾過し、浴槽水３１が浄化されて清潔に保つことができるものである。またこのとき流出路１６を通過する浴槽水３１の温度が所定の設定温度よりも低い場合は、ヒータ６が作動して浴槽水３１が加熱される。
【００５９】
浴槽水３１をアルカリ性に水質改変する場合は、まず図１４に示すように、第１弁３２、第５弁３６、第９弁４０が開状態、第２弁３３、第７弁３８、第８弁３９、第１０弁４１、第１１弁４２が閉状態となり、この状態で循環ポンプ５が作動する。このとき循環ポンプ５の働きにより浴槽水３１は流入路１１、電解導入路１２、塩水槽路１３、塩供給路１７、第二電極室路１５、第二電極室導出路２１、イオン水バイパス路２４、イオン水路２６、流出路１６にて構成される循環流路と、流入路１１、濾過流路２７、濾過水路２５、流出路１６で構成される循環流路の、二系統の循環流路を循環する。流入路１１、濾過流路２７、濾過水路２５、流出路１６で構成される循環流路においては、図１３の場合と同様に、濾過槽７において浴槽水３１の浄化が行われる。また塩水供給槽４内の塩化ナトリウムが、塩水槽路１３から塩水供給槽４に供給された浴槽水３１に溶解して塩水が生成し、この塩水は塩供給路１７、第二電極室路１５から有隔膜電解槽２の第二電極室２ｂに供給され、第二電極室２ｂ中の余剰の塩水は第一電極室導出路２２、イオン水路２６、流出路１６を経由して浴槽１に返送される。
【００６０】
次に図１５に示すように、第５弁３６、第９弁４０が開状態、第１弁３２、第２弁３３、第７弁３８、第８弁３９、第１０弁４１、第１１弁４２が閉状態となり、この状態で引き続き循環ポンプ５が作動する。このとき流入路１１、濾過流路２７、濾過水路２５、流出路１６で構成される循環流路は維持されて、濾過槽７において浴槽水３１の浄化が引き続き行われる。この状態で白金−イリジウム混合電極３ａが陰極、白金電極３ｂが陽極となるように、この電極間に電圧が印可され、有隔膜電解槽２において電気分解により第一電極室２ａにアルカリ性イオン水が、第二電極室２ｂに酸性イオン水が生成する。このように生成されたイオン水は有隔膜電解槽２内に保持される。
【００６１】
次に電気分解の終了後、図１６に示すように、第７弁３８、第９弁４０、第１１弁４２が開状態、第１弁３２、第２弁３３、第５弁３６、第８弁３９、第１０弁４１が閉状態となり、この状態で引き続き循環ポンプ５が作動する。このとき流入路１１、電解導入路１２、電解槽路３０を経由して、第一電極室路１４から第一電極室２ａ内に浴槽水３１が導入される水流が発生する。第一電極室２ａ内のアルカリ性イオン水は、浴槽水３１に押し出されて第一電極室導出路２２、イオン水路２６、流出路１６を経由して流出口４４から浴槽１内に供給されて、浴槽１内の浴槽水３１をアルカリ性に水質改変する。一方、濾過流路２７を経由して濾過槽７に導入される浴槽水３１は、水圧抵抗の高い濾過膜４６を透過せずに洗浄水排出口７ｂを通じて水圧抵抗の低い洗浄水排出路２３を通過し、排水路１８を通って浴槽１外に排出される。
【００６２】
次に図１７に示すように、第７弁３８、第８弁３９、第１１弁４２が開状態、第１弁３２、第２弁３３、第５弁３６、第９弁４０、第１０弁４１が閉状態となり、この状態で引き続き循環ポンプ５が作動する。このとき流入路１１、電解導入路１２、電解槽路３０を経由して、第一電極室路１４から第一電極室２ａ内に、第二電極室路１５から第二電極室２ｂ内に浴槽水３１が導入される水流が発生する。第一電極室２ａ内のアルカリ性イオン水は、図１６の場合と同様に、引き続き浴槽水３１に押し出されて第一電極室導出路２２、イオン水路２６、流出路１６を経由して流出口４４から浴槽１内に供給されて、浴槽１内の浴槽水３１をアルカリ性に水質改変する。また第二電極室２ｂ内の酸性イオン水は、第二電極室導出路２１、洗浄イオン路２８、濾過流路２７を経由して濾過槽７に導入される。酸性イオン水は濾過槽７に貯められ、濾過槽７内の余剰の酸性イオン水は、水圧抵抗の低い洗浄水排出路２３を通過し、排水路１８を通って浴槽１外に排出される。ここで、図１６に示す動作を行わずに、図１５に示す動作から直接図１７に示す動作に移行することにより、有隔膜電解槽２からのアルカリ性イオン水と酸性イオン水の排出を同時に開始しても良い。
【００６３】
次に図１８に示すように、第９弁４０、第１０弁４１が開状態、第１弁３２、第２弁３３、第５弁３６、第７弁３８、第８弁３９、第１１弁４２が閉状態となり、この状態で引き続き循環ポンプ５が作動する。この状態でモータ８を作動させてノズル９を回転させる。このとき浴槽水バイパス路２９、濾過流路２７、洗浄水排出路２３からなる閉じた循環流路が形成され、濾過槽７に貯められていた酸性イオン水がこの閉じた循環流路を循環する。この閉じた循環流路を循環する酸性イオン水は、濾過流路２７を経由して濾過槽７に導入され、回転するノズル９の吐水口１０から濾過膜４６に向けて吹き付けられ、この水流により濾過膜４６の表面に付着した汚物がはぎ取られる。この汚物を含む洗浄後の浴槽水３１は、水圧抵抗の高い濾過膜４６を透過せずに洗浄水排出口７ｂを水圧抵抗の低い洗浄水排出路２３を通過し、浴槽水バイパス路２９を経由して再び濾過流路２７から濾過槽７に導入される。またこのとき酸性イオン水中の塩素にて濾過膜４６に付着した有機物を分解除去すると共に、濾過膜４６を酸性下におくことで濾過膜４６に付着している金属塩が溶解する。
【００６４】
次に図１９に示すように、第９弁４０、第１１弁４２が開状態、第１弁３２、第２弁３３、第５弁３６、第７弁３８、第８弁３９、第１０弁４１が閉状態となり、この状態で引き続き循環ポンプ５が作動する。このとき、流入路１１、濾過流路２７、洗浄水排出路２３、排水路１８からなる流路が形成され、流出口４４から導入される浴槽水３１が、閉じた循環流路を循環していた、汚物を含む酸性イオン水を押し出して、排水路１８を経由して浴槽１外に排出し、更にこの流路をすすいで洗浄する。その後、図１３に示す通常の循環状態に復帰する。
【００６５】
また浴槽水３１を殺菌する場合は、まず図１４に示すように、第１弁３２、第５弁３６、第９弁４０が開状態、第２弁３３、第７弁３８、第８弁３９、第１０弁４１、第１１弁４２が閉状態となり、この状態で循環ポンプ５が作動する。このとき循環ポンプ５の働きにより浴槽水３１は流入路１１、電解導入路１２、塩水槽路１３、塩供給路１７、第二電極室路１５、第二電極室導出路２１、イオン水バイパス路２４、イオン水路２６、流出路１６にて構成される循環流路と、流入路１１、濾過流路２７、濾過水路２５、流出路１６で構成される循環流路の、二系統の循環流路を循環する。流入路１１、濾過流路２７、濾過水路２５、流出路１６で構成される循環流路においては、図１３の場合と同様に、濾過槽７において浴槽水３１の浄化が行われる。また塩水供給槽４内の塩化ナトリウムが、塩水槽路１３から塩水供給槽４に供給された浴槽水３１に溶解して塩水が生成し、この塩水は塩供給路１７、第二電極室路１５から有隔膜電解槽２の第二電極室２ｂに供給され、第二電極室２ｂ中の余剰の塩水は第一電極室導出路２２、イオン水路２６、流出路１６を経由して浴槽１に返送される。
【００６６】
次に図１５に示すように、第１弁３２、第５弁３６、第９弁４０が開状態、第２弁３３、第７弁３８、第８弁３９、第１０弁４１、第１１弁４２が閉状態となり、この状態で引き続き循環ポンプ５が作動する。このとき流入路１１、濾過流路２７、濾過水路２５、流出路１６で構成される循環流路は維持されて、濾過槽７において浴槽水３１の浄化が引き続き行われる。この状態で白金−イリジウム混合電極３ａが陽極、白金電極３ｂが陰極となるように、この電極間に電圧が印可され、有隔膜電解槽２において電気分解により第一電極室２ａに酸性イオン水が、第二電極室２ｂにアルカリ性イオン水が生成する。ここで第一電極室２ａに設けられた白金−イリジウム混合電極３ａは塩素の発生効率が高いため、この酸性イオン水中では塩素が効率よく発生される。このように生成されたイオン水は有隔膜電解槽２内に保持される。
【００６７】
次に電気分解の終了後、図２０に示すように、第２弁３３、第７弁３８、第１弁３２、第９弁４０が開状態、第５弁３６、第８弁３９、第１０弁４１、第１１弁４２が閉状態となり、この状態で引き続き循環ポンプ５が作動する。このとき流入路１１、濾過流路２７、濾過水路２５、流出路１６で構成される循環流路は維持されて、濾過槽７において浴槽水３１の浄化が引き続き行われる。またこのとき流入路１１、電解導入路１２、電解槽路３０を経由して、第一電極室路１４から第一電極室２ａ内に、第二電極室路１５から第二電極室２ｂ内に浴槽水３１が導入される水流が発生する。第一電極室２ａ内の酸性イオン水は浴槽水３１に押し出されて第一電極室導出路２２を経由してイオン水路２６に至り、また第二電極室２ｂ内のアルカリ性イオン水は、第二電極室導出路２１、イオン水バイパス路２４を経由してやはりイオン水路２６に至るものであり、イオン水路２６においてアルカリ性イオン水と酸性イオン水とが混合される。この混合水は中性又は弱アルカリ性のイオン水であり、また酸性イオン水が高濃度で塩素を含んでいたため、高い塩素濃度を有している。この混合水は、流出路１６において、濾過槽７において浄化された後の浴槽水３１と混合し、流出路１６を通って流出口４４から浴槽１内に供給され、混合水中の塩素にて浴槽１内の浴槽水３１が殺菌される。この場合、浴槽水３１の浄化と浴槽水３１の殺菌とが同時に行われる。
【００６８】
上記の浴槽水３１をアルカリ性に水質改変しながら濾過膜４６を洗浄する動作と、浴槽水３１を殺菌する動作は、一回ずつ交互に、あるいはどちらか一方の動作が複数回繰り返して行われると共に他方の動作が一回行われるものであり、この場合、浴槽水３１をアルカリ性に保ちながら、殺菌された衛生的な状態に保つことができ、しかも濾過膜４６が洗浄されて濾過膜４６の膜流量が保たれ、高い効率で濾過槽７による浴槽水３１の浄化が行われるものである。
【００６９】
また浴槽水３１を酸性に水質改変する場合、まず図１４に示すように、第１弁３２、第５弁３６、第９弁４０が開状態、第２弁３３、第７弁３８、第８弁３９、第１０弁４１、第１１弁４２が閉状態となり、この状態で循環ポンプ５が作動する。このとき循環ポンプ５の働きにより浴槽水３１は流入路１１、電解導入路１２、塩水槽路１３、塩供給路１７、第二電極室路１５、第二電極室導出路２１、イオン水バイパス路２４、イオン水路２６、流出路１６にて構成される循環流路と、流入路１１、濾過流路２７、濾過水路２５、流出路１６で構成される循環流路の、二系統の循環流路を循環する。流入路１１、濾過流路２７、濾過水路２５、流出路１６で構成される循環流路においては、図１３の場合と同様に、濾過槽７において浴槽水３１の浄化が行われる。また塩水供給槽４内の塩化ナトリウムが、塩水槽路１３から塩水供給槽４に供給された浴槽水３１に溶解して塩水が生成し、この塩水は塩供給路１７、第二電極室路１５から有隔膜電解槽２の第二電極室２ｂに供給され、第二電極室２ｂ中の余剰の塩水は第一電極室導出路２２、イオン水路２６、流出路１６を経由して浴槽１に返送される。
【００７０】
次に図１５に示すように、第１弁３２、第５弁３６、第９弁４０が開状態、第２弁３３、第７弁３８、第８弁３９、第１０弁４１、第１１弁４２が閉状態となり、この状態で引き続き循環ポンプ５が作動する。このとき流入路１１、濾過流路２７、濾過水路２５、流出路１６で構成される循環流路は維持されて、濾過槽７において浴槽水３１の浄化が引き続き行われる。この状態で白金−イリジウム混合電極３ａが陽極、白金電極３ｂが陰極となるように、この電極間に電圧が印可され、有隔膜電解槽２において電気分解により第一電極室２ａに酸性イオン水が、第二電極室２ｂにアルカリ性イオン水が生成する。ここで第一電極室２ａに設けられた白金−イリジウム混合電極３ａは塩素の発生効率が高いため、この酸性イオン水中では塩素が効率よく発生される。このように生成されたイオン水は有隔膜電解槽２内に保持される。
【００７１】
次に電気分解の終了後、図１６に示すように、第７弁３８、第９弁４０、第１１弁４２が開状態、第１弁３２、第２弁３３、第５弁３６、第８弁３９、第１０弁４１が閉状態となり、この状態で引き続き循環ポンプ５が作動する。このとき流入路１１、電解導入路１２、電解槽路３０を経由して、第一電極室路１４から第一電極室２ａ内に浴槽水３１が導入される水流が発生する。第一電極室２ａ内の酸性イオン水は、浴槽水３１に押し出されて第一電極室導出路２２、イオン水路２６、流出路１６を経由して流出口４４から浴槽１内に供給されて、浴槽１内の浴槽水３１を酸性に水質改変する。一方、濾過流路２７を経由して濾過槽７に導入される浴槽水３１は、水圧抵抗の高い濾過膜４６を透過せずに洗浄水排出口７ｂを水圧抵抗の低い洗浄水排出路２３を通過し、排水路１８を通って浴槽１外に排出される。
【００７２】
次に図１７に示すように、第２弁３３、第７弁３８、第８弁３９、第１１弁４２が開状態、第１弁３２、第５弁３６、第９弁４０、第１０弁４１が閉状態となり、この状態で引き続き循環ポンプ５が作動する。このとき流入路１１、電解導入路１２、電解槽路３０を経由して、第一電極室路１４から第一電極室２ａ内に、第二電極室路１５から第二電極室２ｂ内に浴槽水３１が導入される水流が発生する。第一電極室２ａ内の酸性イオン水は、図１６の場合と同様に、引き続き浴槽水３１に押し出されて第一電極室導出路２２、イオン水路２６、流出路１６を経由して流出口４４から浴槽１内に供給されて、浴槽１内の浴槽水３１を酸性に水質改変する。また第二電極室２ｂ内のアルカリ性イオン水は、第二電極室導出路２１、洗浄イオン路２８、濾過流路２７を経由して濾過槽７に導入される。濾過槽７内のアルカリ性イオン水は水圧抵抗の低い洗浄水排出路２３を通過し、排水路１８を通って浴槽１外に排出される。ここで、図１６に示す動作を行わずに、図１５に示す動作から直接図１７に示す動作に移行することにより、有隔膜電解槽２からのアルカリ性イオン水と酸性イオン水の排出を同時に開始しても良い。
【００７３】
上記の浴槽水の水質改変装置では、電気分解中においては、有隔膜電解槽２に浴槽水３１が供給されないため、有隔膜電解槽２に供給される浴槽水３１の量を低減して浴槽水３１中に含まれる不純物やカルシウムによる電極表面や隔膜４５の汚染を抑制することができる。
【００７４】
【発明の効果】
本発明の請求項１に係る浴槽水の水質改変装置は、有隔膜電解槽と、有隔膜電解槽内の隔膜にて隔てられた第一電極室と第二電極室のうちの第二電極室内に塩化ナトリウムを供給する塩水供給槽と、電気分解に供される浴槽水を浴槽から有隔膜電解槽に供給し、有隔膜電解槽にて電気分解により生成するアルカリ性イオン水と酸性イオン水のうち一方のイオン水を第一電極室から浴槽に供給すると共に他方のイオン水を第二電極室から浴槽外に排出する浴槽水の流路と、この浴槽水の流路に水流を発生させる循環ポンプとを具備し、循環ポンプは電解導入路、電解槽路を経由し、第一電極室路及び第二電極室路に分岐して第一電極室と第二電極室にそれぞれ接続され、塩水供給槽は電解導入路から分岐した塩水槽路に接続され更に塩供給路を経て第二電極室路に接続されているものであり、有隔膜電解槽内の浴槽水に塩化ナトリウムを添加して導電性を向上し、電気分解に必要な電力を低減することができ、また有隔膜電解槽内の浴槽水中の塩化物イオン及びナトリウムイオンの濃度が向上されて、電気分解により陰極側で水酸化ナトリウム濃度の高いアルカリ性イオン水を生成すると共に、陽極側で塩酸濃度の高い酸性イオン水を生成することができ、このようなイオン水を浴槽水のｐＨの改変に利用することができるものである。
【００７５】
また本発明の請求項２に係る浴槽水の水質改変装置は、請求項１の構成に加えて、開閉弁を開閉することにより有隔膜電解槽における電気分解の進行中に、有隔膜電解槽にて電気分解により生成するアルカリ性イオン水と酸性イオン水のうち一方のイオン水を第一電極室から連続的に浴槽に供給し、有隔膜電解槽における電気分解の終了後に他方のイオン水を第二電極室から浴槽外に排出する浴槽水の流路を具備し、前記開閉弁として、塩水槽路の流通を開閉する開閉弁と、第二電極室路における塩供給路の接続位置よりも上流側の流通を開閉する開閉弁と、イオン水を第二電極室から浴槽外に排出する流路を開閉する開閉弁とを備えるものであり、イオン水を浴槽外に排出する際の排水量を低減して、浴槽内の浴槽水の急激な減少を抑制することができるものである。
【００７６】
また本発明の請求項３に係る浴槽水の水質改変装置は、有隔膜電解槽と、有隔膜電解槽内の隔膜にて隔てられた第一電極室と第二電極室の両方の電極室内に塩化ナトリウムを供給する塩水供給槽と、開閉弁を開閉することにより電気分解に供される浴槽水を浴槽から有隔膜電解槽に供給し、有隔膜電解槽における電気分解終了後に、有隔膜電解槽にて電気分解により生成するアルカリ性イオン水と酸性イオン水のうちの一方のイオン水を第一電極室から浴槽に供給すると共に他方のイオン水を第二電極室から浴槽外に排出する浴槽水の流路と、この浴槽水の流路に水流を発生させる循環ポンプとを具備し、循環ポンプは電解導入路、電解槽路を経由し、第一電極室路及び第二電極室路に分岐して第一電極室と第二電極室にそれぞれ接続され、塩水供給槽は電解導入路から分岐した塩水槽路に接続され更に塩供給路を経て電解槽路に接続されるものであり、且つ前記開閉弁として塩水槽路の流通を開閉する開閉弁と、塩供給路との接続位置よりも上流側における電解槽路の流通を開閉する開閉弁とを備えるものであり、有隔膜電解槽内の浴槽水に塩化ナトリウムを添加して導電性を向上し、電気分解に必要な電力を低減することができ、また有隔膜電解槽内の浴槽水中の塩化物イオン及びナトリウムイオンの濃度が向上されて、電気分解により陰極側で水酸化ナトリウム濃度の高いアルカリ性イオン水を生成すると共に、陽極側で塩酸濃度の高い酸性イオン水を生成することができ、このようなイオン水を浴槽水のｐＨの改変に利用することができるものであり、またイオン水を浴槽外に排出する際の排水量を低減して、浴槽内の浴槽水の急激な減少を抑制することができるものであり、また有隔膜電解槽に供給される浴槽水の量を低減して浴槽水中に含まれる不純物やカルシウムによる電極表面や隔膜の汚染を抑制することができるものである。
【００７７】
また本発明の請求項４に係る浴槽水の水質改変装置は、請求項１乃至３のいずれかの構成に加えて、開閉弁を開閉することにより有隔膜電解槽にて電気分解により生成するアルカリ性イオン水と酸性イオン水のうちのアルカリ性イオン水を浴槽に供給すると共に酸性イオン水を浴槽外に排出する動作と、電気分解により生成するアルカリ性イオン水と酸性イオン水の両方を浴槽に供給する動作とを一回ずつ交互に行うか、あるいは一方の動作を複数回行うのに対して他方の動作を一回行うものであり、イオン水を第一電極室から浴槽に供給する流路とイオン水を第二電極室から浴槽外に排出する流路とがイオン水バイパス路にて接続されており、且つ前記開閉弁として、イオン水を第二電極室から浴槽外に排出する流路を開閉する開閉弁と、イオン水バイパス路の流通を開閉する開閉弁とを備えるものであり、浴槽にアルカリ性イオン水を供給することにより浴槽中の浴槽水をアルカリ性に水質改変すると共に、アルカリ性イオン水と酸性イオン水が混合された中性又は弱アルカリ性で塩素濃度の高い混合水を浴槽に供給することにより浴槽中の浴槽水をアルカリ性に保ったまま塩素にて浴槽水を殺菌することができるものである。
【００７８】
また本発明の請求項５に係る浴槽水の水質改変装置、請求項１乃至４のいずれかの構成に加えて、表面が白金−イリジウム混合物にて形成された白金−イリジウム混合物電極を有する第一電極室及び表面が白金にて形成された白金電極を有する第二電極室が設けられた有隔膜電解槽と、開閉弁を開閉することにより白金−イリジウム混合物電極を陰極、白金電極を陽極として電気分解を行ったときに有隔膜電解槽にて生成されるアルカリ性イオン水を浴槽に供給すると共に酸性イオン水を浴槽外に排出し、白金電極を陰極、白金−イリジウム混合物電極を陽極として電気分解を行ったときに有隔膜電解槽にて生成されるアルカリ性イオン水と酸性イオン水の両方を浴槽に供給する浴槽水の流路を具備し、イオン水を第一電極室から浴槽に供給する流路とイオン水を第二電極室から浴槽外に排出する流路とがイオン水バイパス路にて接続されており、且つ前記開閉弁として、イオン水を第二電極室から浴槽外に排出する流路を開閉する開閉弁と、イオン水バイパス路の流通を開閉する開閉弁とを備えるものであり、アルカリ性イオン水を浴槽に供給する場合は酸性イオン水を酸素発生効率の高い白金電極が配設された電極室で生成し、排出される酸性イオン水中の塩素濃度を低減して排水から有害で有臭の塩素ガスが気化し、雰囲気中に放出されることを防止することができるものであり、またアルカリ性イオン水と酸性イオン水が混合された中性又は弱アルカリ性の混合水を浴槽に供給する場合は、酸性イオン水を塩素の発生効率が高い白金−イリジウム混合物電極が配設された電極室にて生成し、混合水中の塩素濃度を向上して殺菌性能を向上することができるものであり、浴槽中の浴槽水をアルカリ性に保ったまま高濃度の塩素にて浴槽水を殺菌することができるものである。
【００７９】
また本発明の請求項６に係る浴槽水の水質改変装置は、請求項１乃至５のいずれかの構成に加えて、表面が白金−イリジウム混合物にて形成された白金−イリジウム混合物電極を有する第一電極室及び表面が白金にて形成された白金電極を有する第二電極室が設けられた有隔膜電解槽と、開閉弁を開閉することにより白金−イリジウム混合物電極を陰極、白金電極を陽極として電気分解を行ったときに有隔膜電解槽にて生成されるアルカリ性イオン水を浴槽に供給すると共に酸性イオン水を浴槽外に排出し、白金電極を陰極、白金−イリジウム混合物電極を陽極として電気分解を行ったときに有隔膜電解槽にて生成されるアルカリ性イオン水を浴槽外に排出すると共に酸性イオン水を浴槽に供給する浴槽水の流路を具備し、イオン水を第一電極室から浴槽に供給する流路とイオン水を第二電極室から浴槽外に排出する流路とがイオン水バイパス路にて接続され、且つ前記開閉弁として、イオン水を第二電極室から浴槽外に排出する流路を開閉する開閉弁と、イオン水バイパス路の流通を開閉する開閉弁とを備えるものであり、アルカリ性イオン水を浴槽に供給する場合は酸性イオン水を酸素発生効率の高い白金電極が配設された電極室で生成し、排出される酸性イオン水中の塩素濃度を低減して排水から有害で有臭の塩素ガスが気化し、雰囲気中に放出されることを防止することができるものであり、また酸性イオン水を浴槽に供給する場合は、酸性イオン水を塩素の発生効率が高い白金−イリジウム混合物電極が配設された電極室にて生成し、酸性イオン水中の塩素濃度を向上して殺菌性能を向上することができるものであり、酸性イオン水にて浴槽中の浴槽水を酸性にすると共に高濃度の塩素にて浴槽水を殺菌することができるものである。
【００８０】
また本発明の請求項７に係る水質改変装置は、請求項１乃至６のいずれかの構成に加えて、電解導入路の途中から分岐する浴槽水バイパス路がイオン水を第二電極室から浴槽外に排出する流路に接続され、且つ開閉弁として浴槽水バイパス路の流通を開閉するものを備え、前記開閉弁が開状態の場合に有隔膜電解槽にて生成されるアルカリ性イオン水と酸性イオン水のうち一方のイオン水を第一電極室から浴槽に供給すると共に第二電極室にて生成される他方のイオン水を浴槽水にて希釈した後に浴槽外に排出する浴槽水の流路を具備するものであり、排出されるイオン水を浴槽水にて希釈して中性に近づけた後に排出することができ、特に酸性イオン水を排出する場合は浴槽水にて希釈して中性に近づけることにより排水からの有害、有臭の塩素ガスの気化を抑制することができるものである。
また本発明の請求項８に係る浴槽水の水質改変装置は、請求項１乃至７のいずれかの構成に加えて、浴槽水を浄化する濾過槽と、濾過槽の上流側が電解導入路の途中から分岐する濾過流路にて接続され、濾過槽の下流側が濾過水路にてイオン水を第一電極室から浴槽に供給する流路に接続され、濾過槽の洗浄水排出口が洗浄水排出路にてイオン水を第二電極室から浴槽外に排出する流路に接続され、且つ開閉弁として洗浄水排出路の流通を開閉するものを備え、前記開閉弁が開状態の場合に濾過槽に濾過槽の洗浄用水として浴槽水を濾過流路から供給し、有隔膜電解槽にて生成されるアルカリ性イオン水と酸性イオン水のうち一方のイオン水を第一電極室から浴槽に供給すると共に第二電極室にて生成される他方のイオン水を洗浄水排出口から排出される濾過槽の洗浄後の浴槽水にて希釈した後に浴槽外に排出する浴槽水の流路を具備するものであり、濾過槽にて入浴等により浴槽水に混入した垢、埃、細菌等を濾過して、浴槽水を清潔に保つことができるものであり、またこの濾過槽を浴槽水にて洗浄することができるものであり、また濾過槽の洗浄に使用された浴槽水にて、排出するイオン水を希釈して中性に近づけた後に排出することができ、イオン水と濾過槽洗浄後の浴槽水を別々に排出する場合よりも排水量を低減して浴槽中の浴槽水の急激な減少を抑制することができ、また特に酸性イオン水を排出する場合は、この酸性イオン水中の塩素が濾過槽洗浄後の浴槽水中に含まれる垢、埃、細菌等の有機物や無機物と反応して分解され、排水からの有害、有臭の塩素ガスの気化を抑制することができるものである。
【００８１】
また本発明の請求項９に係る浴槽水の水質改変装置は、請求項１乃至８のいずれかの構成に加えて、浴槽水を浄化する濾過槽を具備し、濾過槽の上流側が電解導入路の途中から分岐する濾過流路にて接続され、濾過槽の下流側が濾過水路にてイオン水を第一電極室から浴槽に供給する流路に接続されているものであり、濾過槽にて入浴等により浴槽水に混入した垢、埃、細菌等を濾過して、浴槽水を清潔に保つことができるものである。
【００８２】
また本発明の請求項１０に係る水質改変装置は、請求項９の構成に加えて、濾過膜として中空糸膜を備える濾過槽を具備すると共に、イオン水を第二電極室から浴槽外に排出する浴槽水の流路が、濾過流路に接続された後に濾過槽の洗浄水排出口から浴槽外に導出され、濾過槽に濾過槽の洗浄用水として有隔膜電解槽の第二電極室にて生成された酸性イオン水を供給する浴槽水の流路を具備するものであり、酸性イオン水中の塩素にて中空糸膜に付着した有機物を分解除去すると共に、中空糸膜を酸性下におくことで中空糸膜に付着している金属塩を溶解して排出することができ、濾過槽の洗浄性を向上することができるものである。
【図面の簡単な説明】
【図１】本発明の実施の形態の一例を示す概略図である。
【図２】同上の動作を示す概略図である。
【図３】同上の他の動作を示す概略図である。
【図４】同上の更に他の動作を示す概略図である。
【図５】本発明の実施の形態の他例を示す概略図である。
【図６】同上の動作を示す概略図である。
【図７】同上の他の動作を示す概略図である。
【図８】同上の更に他の動作を示す概略図である。
【図９】同上の更に他の動作を示す概略図である。
【図１０】同上の更に他の動作を示す概略図である。
【図１１】同上の更に他の動作を示す概略図である。
【図１２】本発明の実施の形態の更に他例を示す概略図である。
【図１３】同上の動作を示す概略図である。
【図１４】同上の他の動作を示す概略図である。
【図１５】同上の更に他の動作を示す概略図である。
【図１６】同上の更に他の動作を示す概略図である。
【図１７】同上の更に他の動作を示す概略図である。
【図１８】同上の更に他の動作を示す概略図である。
【図１９】同上の更に他の動作を示す概略図である。
【図２０】同上の更に他の動作を示す概略図である。
【図２１】同上の更に他の動作を示す概略図である。
【符号の説明】
１  浴槽
２  有隔膜電解槽
３ａ  白金−イリジウム混合物電極
３ｂ  白金電極
４  塩水供給槽
５  循環ポンプ
７  濾過槽
３１  浴槽水
４５  隔膜
４６  濾過膜
【図１】
0003714031.tif 000002
【図２】
0003714031.tif 000003
【図３】
0003714031.tif 000004
【図４】
0003714031.tif 000005
【図５】
0003714031.tif 000006
【図６】
0003714031.tif 000007
【図７】
0003714031.tif 000008
【図８】
0003714031.tif 000009
【図９】
0003714031.tif 000010
【図１０】
0003714031.tif 000011
【図１１】
0003714031.tif 000012
【図１２】
0003714031.tif 000013
【図１３】
0003714031.tif 000014
【図１４】
0003714031.tif 000015
【図１５】
0003714031.tif 000016
【図１６】
0003714031.tif 000017
【図１７】
0003714031.tif 000018
【図１８】
0003714031.tif 000019
【図１９】
0003714031.tif 000020
【図２０】
0003714031.tif 000021
【図２１】
0003714031.tif 000022